(57)【要約】      （修正有）【課題】配光角を拡げることができる照明装置を提供する。【解決手段】照明装置１は、本体部２と、本体部の一方の端部に設けられ、発光素子を有する光源３と、光源を覆うように設けられたグローブ５と、光源に対峙して設けられ、光源側とは反対の側の面がグローブから露出している反射部９を備えている。反射部９は、反射部本体９ｂと、反射部本体の面に設けられた反射層９ａを有する。反射層は、グローブよりも高い反射率を有し、反射率が９０％以上となるものとし、反射部本体の全面に設け、白色樹脂などを反射部本体の面に塗布することで形成された層とすることができる。反射部本体は、グローブよりも高い熱伝導率を有し、アルミニウム、銅、マグネシウム合金などの金属材料から形成することができる。【選択図】図１
2014011088.tif 000002
【特許請求の範囲】
【請求項１】
本体部と、
前記本体部の一方の端部に設けられ、発光素子を有する光源と、
前記光源を覆うように設けられたグローブと、
前記光源に対峙して設けられ、前記光源側とは反対の側の面が前記グローブから露出している反射部と、
を備えた照明装置。
【請求項２】
前記反射部は、反射部本体と、少なくとも前記反射部本体の前記光源側の面に設けられた反射層と、を有し、
前記反射部本体の熱伝導率は、前記グローブの熱伝導率よりも高い請求項１記載の照明装置。
【請求項３】
前記本体部の端部の側の放熱面と少なくとも一部が熱的に接合し、前記反射部と少なくとも一部が熱的に接合する伝熱部をさらに備えた請求項１または２に記載の照明装置。
【請求項４】
前記反射部の外形寸法は、前記グローブの最外径寸法よりも小さい請求項１〜３のいずれか１つに記載の照明装置。
【請求項５】
前記反射部の前記照明装置の中心軸に垂直な方向の形状は、前記中心軸に対して回転対称となっている請求項１〜４のいずれか１つに記載の照明装置。
【発明の詳細な説明】
【技術分野】
【０００１】
後述する実施形態は、概ね、照明装置に関する。
【背景技術】
【０００２】
近年、白熱電球（フィラメント電球）に代わって、光源に発光ダイオード（ＬＥＤ；Light Emitting Diode）や、有機発光ダイオード、ＥＬ（Electro-Luminescence）、半導体レーザなどの発光素子を用いた照明装置の実用化が進められている。  
発光ダイオードなどの発光素子を用いた照明装置は、寿命が長く、また、消費電力も少なくすることができるので、既存の白熱電球と置き換えられることが期待されている。  
しかしながら、光源に発光ダイオードなどの発光素子を用いるものとすれば、白熱電球と比べて配光角が狭くなるという問題がある。  
これに対して、グローブの内部に反射鏡を設けることで配光角を拡げる方策も考えられる。  
しかしながら、さらに配光角を拡げることができる照明装置の開発が望ましい。
【先行技術文献】
【特許文献】
【０００３】
【特許文献１】特開２０１０−１５７４５９号公報
【発明の概要】
【発明が解決しようとする課題】
【０００４】
本発明が解決しようとする課題は、配光角を拡げることができる照明装置を提供することである。
【課題を解決するための手段】
【０００５】
実施形態に係る照明装置は、本体部と、本体部の一方の端部に設けられ、発光素子を有する光源と、光源を覆うように設けられたグローブと、光源に対峙して設けられ、光源側とは反対の側の面がグローブから露出している反射部と、を備えている。
【図面の簡単な説明】
【０００６】
【図１】第１の実施形態に係る照明装置を例示するための模式部分断面図である。
【図２】（ａ）は白熱電球の配光角を例示するための模式図、（ｂ）は発光素子３ｂを有する光源３が設けられた照明装置の配光角を例示するための模式図である。
【図３】図２（ｂ）に例示をした照明装置１０１の配光角を例示するための模式グラフ図である。
【図４】傾斜面を有する反射部１９を例示するための模式断面図である。
【図５】（ａ）は、反射部９の外形寸法Ｗ１と、配光角との関係を例示するための模式グラフ図であり、（ｂ）は、反射部９の取り付け位置である高さ寸法Ｈ１と、配光角との関係を例示するための模式グラフ図である。
【図６】（ａ）は、グローブ５の肉厚と、配光角との関係を例示するための模式グラフ図であり、（ｂ）は、グローブ５の最外径部の高さ寸法Ｈ２と、配光角との関係を例示するための模式グラフ図である。
【図７】第２の実施形態に係る照明装置を例示するための模式部分断面図であり、（ａ）は照明装置１１の模式部分断面図、（ｂ）は（ａ）におけるＡ−Ａ矢視図である。
【図８】（ａ）、（ｂ）は、照明装置における放熱の様子を例示するための模式図である。
【図９】（ａ）は開口部を有する伝熱部を例示するための模式部分断面図、（ｂ）は開口部を設ける効果を例示するための模式グラフ図である。
【図１０】他の実施形態に係る開口部を例示するための模式部分断面図である。
【図１１】反射部９に設けられた透光部６９を例示するための模式断面図である。
【発明を実施するための形態】
【０００７】
以下、図面を参照しつつ、実施の形態について例示をする。なお、各図面中、同様の構成要素には同一の符号を付して詳細な説明は適宜省略する。  
[第１の実施形態]  
図１は、第１の実施形態に係る照明装置を例示するための模式部分断面図である。  
図１に示すように、照明装置１には、本体部２、光源３、グローブ５、口金部６、制御部７、反射部９が設けられている。
【０００８】
本体部２は、例えば、口金部６側からグローブ５側に向かうにつれて中心軸１ａに垂直な方向における断面積が漸増する様な形状とすることができる。ただし、これに限定されるわけではなく、例えば、光源３やグローブ５などの大きさ、口金部６の大きさなどに応じて適宜変更することができる。この場合、白熱電球のネック部分の形状に近似させるものとすれば既存の白熱電球との置き換えを容易とすることができる。
【０００９】
本体部２は、例えば、熱伝導率の高い材料から形成することができる。本体部２は、例えば、アルミニウム（Ａｌ）、銅（Ｃｕ）、マグネシウム合金などの金属材料から形成することができる。ただし、金属材料に限定されるわけではなく窒化アルミニウム（ＡｌＮ）などの無機材料、高熱伝導性樹脂などの有機材料などから形成することもできる。
【００１０】
光源３は、本体部２のグローブ５が設けられる側に設けられている。光源３の照射面３ａは、照明装置１の中心軸１ａに垂直となるように設けられ、主に、照明装置１の正面側に向けて光を照射する。光源３は、例えば、複数の発光素子３ｂを有するものとすることができる。ただし、発光素子３ｂの数は適宜変更することができ、照明装置１の用途や発光素子３ｂの大きさなどに応じて１個以上の発光素子３ｂが設けられていればよい。
また、光源３の照射面３ａの方向も例示をしたものに限定されるわけではなく、例えば、照射面３ａは照明装置１の中心軸１ａに対して傾けるようにして設けられていてもよい。
【００１１】
発光素子３ｂは、例えば、発光ダイオード、有機発光ダイオード、レーザダイオードなどのいわゆる自発光素子などとすることができる。複数の発光素子３ｂが設けられる場合には、マトリックス状、千鳥状、放射状などのように規則的な配設形態とすることもできるし、任意の配設形態とすることもできる。
【００１２】
グローブ５は、光源３を覆うようにして、本体部２の一方の端部２ａに設けられている。グローブ５は、光の照射方向に突出する形態を有したものとすることができる。グローブ５は、透光性を有し、光源３から照射された光が照明装置１の外部に出射することができるようになっている。グローブ５は、透光性の材料から形成することができ、例えば、ガラス、ポリカーボネートなどの透明樹脂などから形成することができる。また、必要に応じてグローブ５の内面に拡散剤や蛍光体などを塗布したり、グローブ５の内部に拡散剤や蛍光体などを分散させたりすることができる。  
また、グローブ５の肉厚Ｔ１、Ｔ２や形態により配光角を拡げることができる。  
なお、グローブ５の肉厚Ｔ１、Ｔ２や形態と、配光角との関係については後述する。
【００１３】
口金部６は、本体部２のグローブ５が設けられる側とは反対側の端部２ｂに設けられている。口金部６は、白熱電球が装着されるソケットに取付可能な形状を有するものとすることができる。口金部６は、例えば、ＪＩＳ規格に定められているＥ２６形やＥ１７形などと同様の形状を有するものとすることができる。ただし、口金部６は、例示をした形状に限定されるわけではなく適宜変更することができる。例えば、口金部６は、蛍光ランプに使用されるピン形の端子を有するものとすることもできるし、引掛シーリングに使用されるＬ字形の端子を有するものとすることもできる。
【００１４】
口金部６は、例えば、金属などの導電性材料から形成することができる。また、外部の電源と電気的に接続される部分を金属などの導電性材料から形成し、それ以外の部分を樹脂などから形成するようにすることもできる。
【００１５】
図１に例示をした口金部６は、ねじ山を有する筒状のシェル部６ａと、シェル部６ａの本体部２に設けられる側の端部とは反対側の端部に設けられたアイレット部６ｂとを有している。シェル部６ａ、アイレット部６ｂには、後述する制御部７が電気的に接続されている。そのため、シェル部６ａ、アイレット部６ｂを介して外部の図示しない電源と制御部７とを電気的に接続することができるようになっている。この場合、本体部２が金属などから形成される場合には、本体部２と口金部６との間に接着剤などからなる絶縁部が設けられるようにすることができる。
【００１６】
制御部７は、本体部２の内部に形成された空間に設けられている。なお、本体部２と制御部７との間に電気絶縁を図るための図示しない絶縁部を適宜設けるようにすることができる。  
制御部７は、光源３に電力を供給する点灯回路を有するものとすることができる。この場合、点灯回路は、例えば、商用電源の交流１００Ｖを直流に変換して光源３に供給するものとすることができる。また、制御部７は、光源３の調光を行うための調光回路をも有するものとすることができる。この場合、発光素子３ｂが複数設けられている場合には、調光回路は、各発光素子３ｂごと、あるいは、一群の発光素子３ｂごとに調光を行うことができるものとすることができる。
【００１７】
また、光源３と本体部２との間には基板８が設けられている。  
基板８は、例えば、熱伝導率の高い材料から形成することができる。基板８は、例えば、アルミニウム（Ａｌ）、銅（Ｃｕ）、これらの合金などの金属材料から形成され、表面に絶縁層を介して図示しない配線パターンが形成されたものとすることができる。そのようにすれば、図示しない配線パターンを介して、光源３を制御部７に電気的に接続することが容易となる。また、光源３において発生した熱を基板８、本体部２を介して外部に放出することが容易となる。なお、基板８は、セラミックスを用いた基材の表面に配線パターンが形成されたものとすることもできる。
【００１８】
ここで、発光素子３ｂを有する光源３を本体部２の端部２ａに設けるものとすれば、白熱電球と比べて配光角が狭くなるという問題がある。  
図２は、照明装置の配光角を例示するための模式図である。  
なお、図２（ａ）は白熱電球の配光角を例示するための模式図、図２（ｂ）は発光素子３ｂを有する光源３が設けられた照明装置の配光角を例示するための模式図である。
【００１９】
図２（ａ）に示すように、白熱電球１００の場合には、発光体であるフィラメント１０３がグローブ１０５の中央近辺に位置している。そのため、フィラメント１０３から照射された光Ｌは、白熱電球１００の正面側及び側面側のみならず白熱電球１００の背面側にも照射される。  
これに対して、図２（ｂ）に示すように、発光素子３ｂを有する光源３を本体部２の端部２ａに設けるものとすれば、光源３から照射された光Ｌは照明装置１０１の正面側に照射されやすくなり、照明装置１０１の背面側には光Ｌが照射されにくくなる。
【００２０】
図３は、図２（ｂ）に例示をした照明装置１０１の配光角を例示するための模式グラフ図である。  
図３に示すように、照明装置１０１の場合には、配光角は概ね１２０°程度となる。
この場合、複数の光源３を立体的に配置すれば配光角を拡げることができる。しかしながら、複数の光源３を立体的に配置することは技術的に難しく、製品コストの増大を招くことにもなる。  
そこで、本実施の形態に係る照明装置１においては、配光角を拡げるために反射部９を設けるようにしている。
【００２１】
また、光源３において発生した熱は基板８、本体部２を介して外部に放出される。
しかしながら、照明装置１のさらなる高光束化を図るために光源３に投入する電流を増加させることを考慮すると、放熱性を向上させることが好ましい。  
そこで、本実施の形態に係る照明装置１においては、光源３において発生した熱を反射部９を介して外部に放出するようにしている。
【００２２】
図１に示すように、反射部９は、板状を呈し、光源３に対峙させて設けられている。  
反射部９の光源３側の面はグローブ５の内部に露出している。  
反射部９の光源３側とは反対側の面はグローブ５の外部に露出している。  
反射部９は、例えば、反射部本体９ｂと、反射部本体９ｂの面に設けられた反射層９ａと、を有したものとすることができる。
【００２３】
反射層９ａは、グローブ５よりも高い反射率を有したものとすることができる。  
反射層９ａは、例えば、光源３から照射された光に対する反射率が９０％以上となるものを設けることが望ましい。  
反射層９ａは、少なくとも反射部本体９ｂの光源３側の面に設けられていればよい。
なお、反射層９ａは、反射部本体９ｂの全面に設けられていてもよい。  
反射層９ａは、例えば、白色樹脂などを反射部本体９ｂの面に塗布することで形成された層とすることができる。  
ただし、これに限定されるわけではなく、例えば、反射率の高い銀やアルミニウムなどの金属をコーティングすることで形成された層とすることもできる。また、樹脂の色も白色に限定されるわけではなく適宜変更することができる。  また、反射層９ａの形成方法も塗布やコーティングに限定されるわけではなく、例えば、予めフィルム状に形成された反射層９ａを反射部本体９ｂの面に接着するようにしてもよい。
【００２４】
反射部本体９ｂは、グローブ５よりも高い熱伝導率を有したものとすることができる。  反射部本体９ｂは、例えば、アルミニウム（Ａｌ）、銅（Ｃｕ）、マグネシウム合金などの金属材料から形成することができる。ただし、金属材料に限定されるわけではなく窒化アルミニウム（ＡｌＮ）などの無機材料、高熱伝導性樹脂などの有機材料などから形成することもできる。
【００２５】
前述したように、反射部９の光源３側の面はグローブ５の内部に露出している。そして、反射部本体９ｂの光源３側の面には反射層９ａが設けられている。すなわち、反射層９ａはグローブ５の内部に露出するとともに、光源３に面することになる。  
そのため、光源３から照射され反射部９に向かう光を、反射層９ａに直接入射させることができる。  
その結果、光源３から照射され反射部９に向かう光を反射層９ａにより効率よく反射させることができる。  
反射層９ａにより反射された光は、照明装置１の側面側から背面側にかけて照射されることになるので、配光角を拡げることができる。
【００２６】
また、光源３において生じた熱は、対流や輻射（放射）により反射部９に伝わる。  
この場合、反射部９は、光源３に対峙させて設けられているので、輻射による伝熱が効率よく行われる。  
そして、反射部９の光源３側とは反対側の面がグローブ５の外部に露出しているので、反射部９に伝わった熱を効率よく外部に放出することができる。  
この場合、反射部本体９ｂは、熱伝導率の高い材料から形成されているので、さらに効率よく熱を外部に放出することができる。
【００２７】
反射部９の照明装置１の中心軸１ａに垂直な方向の形状（平面形状）には特に限定はないが、中心軸１ａに対して回転対称となる形状とすることが好ましい。  
反射部９が中心軸１ａに対して回転対称となる形状を有するものとすれば、中心軸１ａに対して対称となるように光を照射することができる。  
例えば、反射部９は、円板状を呈するものとすることができる。
【００２８】
反射部９の厚み寸法は、例えば、図１に例示をしたように、ほぼ一定とすることができる。  
ただし、これに限定されるわけではなく、配光角をさらに拡げるために、厚み寸法が変化する（例えば、傾斜面を有する）反射部とすることもできる。
【００２９】
図４は、傾斜面を有する反射部１９を例示するための模式断面図である。  
図４に示すように、反射部１９は、反射部本体１９ｂと、前述した反射層９ａと、を有している。  
反射部１９の光源３側には傾斜面１９ａが設けられている。そして、傾斜面１９ａには前述した反射層９ａが設けられている。なお、反射層９ａは、反射部本体１９ｂの全面に設けられていてもよい。
【００３０】
傾斜面１９ａは、反射部１９の中心側に向かうにつれて光源３側に近接する方向に傾斜したものとすることができる。  
傾斜面１９ａは、平坦面とすることもできるし、曲面とすることもできる。  
傾斜面１９ａは、照明装置１の中心軸１ａに対して対称となるように設けることが好ましい。傾斜面１９ａが照明装置１の中心軸１ａに対して対称となっていれば、中心軸１ａに対して対称となるように光を照射することができる。  
傾斜面１９ａの傾斜角度には特に限定はなく、光源３と反射部１９の間の距離、反射部１９の外形寸法などに応じて適宜変更することができる。
【００３１】
図４に示すように、光源３から照射され反射部１９に向かう光Ｌは、傾斜面１９ａに設けられた反射層９ａにより反射されて、照明装置１の側面側から背面側にかけて照射される。  
この際、傾斜面１９ａは、反射部１９の中心側に向かうにつれて光源３側に近接する方向に傾斜しているので、入射した光を照明装置１の側面側から背面側にかけて照射し易くなる。  
そのため、配光角をさらに拡げることができる。
【００３２】
次に、反射部９の外形寸法Ｗ１や、反射部９の取り付け位置が配光角に与える影響について説明する。  
図５（ａ）は、反射部９の外形寸法Ｗ１と、配光角との関係を例示するための模式グラフ図である。  
なお、反射部９の外形寸法Ｗ１は、図１に示すように、反射部９の照明装置１の中心軸１ａに垂直な方向における寸法である。  
例えば、反射部９の形態が円板状である場合には、円板の直径寸法である。  
図５（ａ）に示すように、反射部９の外形寸法Ｗ１を大きくすれば、配光角を拡げることができる。
【００３３】
この場合、反射部９の外形寸法Ｗ１を大きくしすぎると、照明装置１の正面側に照射される光が少なくなりすぎるおそれがある。  
そのため、反射部９の外形寸法Ｗ１は、グローブ５の最外径寸法Ｗ３よりも小さくすることが好ましい。  
または、反射部９の外形寸法Ｗ１は、基板８の外形寸法Ｗ２よりも小さくすることが好ましい。  
その様にすれば、反射部９の外側を介して照明装置１の正面側に光が照射されやすくなる。
【００３４】
図５（ｂ）は、反射部９の取り付け位置である高さ寸法Ｈ１と、配光角との関係を例示するための模式グラフ図である。  
なお、反射部９の高さ寸法Ｈ１は、図１に示すように、本体部２の端部２ａから反射部９の光源３側の面までの間の寸法である。  
図５（ｂ）に示すように、反射部９の高さ寸法Ｈ１を小さくすれば、すなわち、反射部９を光源３に近づければ、配光角を拡げることができる。
【００３５】
すなわち、図５（ａ）、（ｂ）に示したように、反射部９の外形寸法Ｗ１を大きくしたり、反射部９の高さ寸法Ｈ１を小さくしたりすれば、配光角を拡げることができる。  
例えば、本発明者らの得た知見によれば、反射部９の外形寸法Ｗ１を適宜設定することで、図３に例示をしたものに比べて配光角をほぼ３倍にすることができる。
【００３６】
次に、グローブ５の肉厚Ｔ１、Ｔ２や形態と、配光角との関係について説明する。  
図６（ａ）は、グローブ５の肉厚と、配光角との関係を例示するための模式グラフ図である。  
図６（ａ）に示すように、本発明者らの得た知見によれば、グローブ５の光源３側の肉厚Ｔ１と、グローブ５の反射部９側の肉厚Ｔ２は、同じ寸法とするよりも、図１に示すように、グローブ５の反射部９側の肉厚Ｔ２よりも、グローブ５の光源３側の肉厚Ｔ１を薄くした方が、配光角を拡げ易くなる。
【００３７】
図６（ｂ）は、グローブ５の最外径部の高さ寸法Ｈ２と、配光角との関係を例示するための模式グラフ図である。  
図６（ｂ）に示すように、グローブ５の最外径部の高さ寸法Ｈ２を大きくすれば、すなわち、グローブ５の最外径部の位置を光源３から遠くすれば、配光角を拡げることができる。  
また、本発明者らの得た知見によれば、グローブ５の最外径寸法Ｗ３を本体部２の端部２ａの直径寸法より大きくすると、配光角を拡げ易くなる。  
なお、グローブ５の最外径寸法Ｗ３が本体部２の端部２ａの直径寸法より小さい場合には、グローブ５の端部２ａと接する部分の外形寸法がグローブ５の最外径寸法Ｗ３よりも小さくなるようにする。  
この様な場合であっても、本体部２の外周面に溝などを設けることで、溝が設けられた部分において、グローブ５の最外径寸法Ｗ３を本体部２の寸法より大きくすることができる。  
そのため、グローブ５の最外径寸法Ｗ３が本体部２の端部２ａの直径寸法より小さい場合には、本体部２の外周面に溝などを設けることで、配光角が拡げ易くなる。
【００３８】
この様に、グローブ５の反射部９側の肉厚Ｔ２よりも、グローブ５の光源３側の肉厚Ｔ１を薄くしたり、グローブ５の最外径部の高さ寸法Ｈ２を大きくしたりすれば、配光角を拡げることができる。  
例えば、本発明者らの得た知見によれば、グローブ５の最外径部の高さ寸法Ｈ２を適宜設定することで、図３に例示をしたものに比べて配光角をほぼ３倍にすることができる。
【００３９】
[第２の実施形態]  
図７は、第２の実施形態に係る照明装置を例示するための模式部分断面図である。  
なお、図７（ａ）は照明装置１１の模式部分断面図、図７（ｂ）は図７（ａ）におけるＡ−Ａ矢視図である。  
図７に示すように、照明装置１１には、本体部２、光源３、グローブ５、口金部６、制御部７、反射部９が設けられている。  
またさらに、照明装置１１には、伝熱部２９が設けられている。
【００４０】
前述したように、光源３において発生した熱は、熱伝導により、基板８、本体部２を介して外部に放出される。  
また、光源３において発生したは、輻射や対流により、反射部９を介して外部に放出される。  
しかしながら、照明装置１１のさらなる高光束化を図るために光源３に投入する電流を増加させることを考慮すると、放熱性をさらに向上させることが好ましい。  
そのため、本実施の形態に係る照明装置１１においては、伝熱部２９をさらに設けるようにしている。
【００４１】
図７（ａ）、（ｂ）に示すように、伝熱部２９は、グローブ５の内部に設けられている。
そして、伝熱部２９のグローブ５側の端部２９ａは、グローブ５から露出している。
伝熱部２９の本体部２側の端部２９ｂは、本体部２の端部２ａと少なくとも一部が熱的に接合している。  
伝熱部２９の端部２９ｃは、基板８と少なくとも一部が熱的に接合している。  
伝熱部２９の端部２９ｄは、光源３の照射面３ａと少なくとも一部が熱的に接合している。  
伝熱部２９の反射部９側の端部２９ｅは、反射部９と少なくとも一部が熱的に接合している。
【００４２】
この場合、端部２９ｂ、端部２９ｃ、端部２９ｄ、端部２９ｅのすべてが熱的に接合している必要はなく、少なくともいずれかが熱的に接合していればよい。  
また、端部２９ａは、グローブ５から露出せずに、グローブ５と熱的に接合していてもよい。  
ただし、端部２９ｂ、端部２９ｃ、端部２９ｄ、端部２９ｅのうち、なるべく多くの端部が熱的に接合していたり、端部２９ａがグローブ５から露出していたりすれば、放熱効果を向上させることができる。
【００４３】
なお、本明細書において「熱的に接合する」とは、伝熱部２９と相手側部材との間において、熱伝導、対流、輻射の少なくともいずれかにより熱が伝わることを意味する。  
例えば、伝熱部２９と当接させるなどして熱伝導により熱を伝えるようにしてもよいし、伝熱部２９との間に僅かな隙間を設けて、対流や輻射により熱を伝えるようにしてもよい。
【００４４】
すなわち、伝熱部２９の端部２９ａ〜２９ｅは、相手側部材と当接させてもよいし、熱を伝えることができる程度に離隔させてもよい。  
この場合、熱伝導によるものとすれば、放熱効果を向上させることができるので、伝熱部２９の端部２９ａ〜２９ｅは、相手側部材と当接させるようにすることが好ましい。
【００４５】
なお、熱的な接合は、必ずしも端部の全域において行われる必要はなく、少なくとも一部において行われるようにすればよい。  
この場合、本体部２の端部２ａ、基板８、および光源３の照射面３ａの少なくともいずれかが本体部２の端部２ａの側の放熱面となる。  
そのため、伝熱部２９の端部は、本体部２の端部２ａの側の放熱面と少なくとも一部が熱的に接合すればよい。  
また、伝熱部２９の端部は、反射部９と少なくとも一部が熱的に接合すればよい。  
ただし、なるべく広い領域において熱的な接合が行われるようにすることがより好ましい。
【００４６】
また、伝熱部２９の端部と、本体部２の端部２ａの側の放熱面と、の間に熱伝導率の高い材料を含む接合部を設けることができる。  
例えば、本体部２の端部２ａと、伝熱部２９の端部２９ｂとを半田などにより接合することで、接合部を設けることができる。また、例えば、基板８と伝熱部２９の端部２９ｃとを半田などにより接合することで、接合部を設けることができる。また、例えば、光源３の照射面３ａと伝熱部２９の端部２９ｄとを熱伝導率の高いセラミックスフィラーが添加された高伝熱性接着剤などにより接合することで、接合部を設けることができる。また、例えば、反射部９と、伝熱部２９の端部２９ｅとを半田などにより接合することで、接合部を設けることができる。
【００４７】
また、伝熱部２９の端部２９ａをグローブ５から露出させない場合には、グローブ５の内面と伝熱部２９の端部２９ａとの間に熱伝導率の高い材料を含む接合部を設けるようにすることができる。  
例えば、グローブ５の内面と伝熱部２９の端部２９ａとを熱伝導率の高いセラミックスフィラーが添加された高伝熱性接着剤などにより接合することで、接合部を設けるようにすることができる。
【００４８】
伝熱部２９の端部２９ａ〜２９ｅと相手側とを熱的に接合させるために、単に当接させるようにするだけでも良いが、伝熱部２９の端部２９ａ〜２９ｅと相手側とを熱伝導率の高い材料を含む接合部を介して接合させるようにすれば熱抵抗を低下させることができる。そのため、放熱効果をさらに向上させることができる。  
またさらに、伝熱部２９と反射部本体９ｂ、あるいは、伝熱部２９と反射部本体９ｂと本体部２を一体に形成してもよい。その様にすれば、放熱効果をさらに向上させることができる。
【００４９】
伝熱部２９は、熱伝導率の高い材料から形成することができる。伝熱部２９は、例えば、アルミニウム（Ａｌ）、銅（Ｃｕ）、マグネシウム合金などの金属材料から形成することができる。ただし、これらに限定されるわけではなく窒化アルミニウム（ＡｌＮ）などの無機材料、高熱伝導性樹脂などの有機材料などから形成することもできる。
【００５０】
ここで、グローブ５の内部に単に伝熱部２９を設けるようにすれば、グローブ５に生じる明部と暗部との差が大きくなり照明装置１１における輝度ムラが大きくなるおそれがある。  
そのため、伝熱部２９は、光源３から照射された光を反射することができるようになっている。
【００５１】
この場合、例えば、伝熱部２９はグローブ５よりも高い反射率を有したものとすることができる。  
伝熱部２９は、例えば、表面に反射層３０を有したものとすることができる。  
反射層３０は、例えば、光源３から照射された光に対する反射率が９０％以上となるものを設けることが望ましい。  
この場合、反射層３０は、前述した反射層９ａと同様のものとすることができる。
【００５２】
反射層３０は、例えば、白色樹脂などを伝熱部２９の面に塗布することで形成された層とすることができる。
【００５３】
ただし、これに限定されるわけではなく、光源３から照射された光に対する反射率が９０％以上の材料を用いて形成された層とすることができる。例えば、反射率の高い銀やアルミニウムなどの金属をコーティングすることで形成された層とすることもできる。また、樹脂の色も白色に限定されるわけではなく適宜変更することができる。
また、反射層３０の形成方法も塗布やコーティングに限定されるわけではなく、例えば、予めフィルム状に形成された反射層３０を伝熱部２９の面に接着するようにしてもよい。  
なお、伝熱部２９自体を反射率の高い材料から形成するようにしてもよい。
【００５４】
また、伝熱部２９は、図７（ｂ）に例示をしたように、平板状の形態を有したものとすることができる。  
平板状の形態を有した伝熱部２９とすれば、反射部９と伝熱部２９とを一体に形成することが容易となる。  
ただし、伝熱部２９の形態は、これに限定されるわけではなく適宜変更することができる。  
例えば、伝熱部２９は、複数の板状体を交差させた形態を有するものとすることができる。例えば、図８（ｂ）に示すように、伝熱部３９は、２つの板状体を十字に交差させた形態を有するものとすることができる。
【００５５】
また、伝熱部２９は、照明装置１１の中心軸１１ａに対して回転対称となる形態を有したものとすることができる。  
伝熱部２９が照明装置１１の中心軸１１ａに対して回転対称となる形態を有したものとすれば、グローブ５において伝熱部２９により画された領域における輝度が相互に同等となるようにすることができる。  
そのため、グローブ５に生じる明部と暗部との差を小さくすることができるので、照明装置１１における輝度ムラを小さくすることができる。
【００５６】
図８は、照明装置における放熱の様子を例示するための模式図である。  
なお、図８（ａ）は伝熱部３９を設けていない場合の本体部２の端部２ａ近傍における温度分布を例示するための模式図、図８（ｂ）は２つの板状体を十字に交差させた形態を有する伝熱部３９を設けた場合の本体部２の端部２ａ近傍における温度分布を例示するための模式図である。  
図８は、シミュレーションにより照明装置の温度分布を求めたものであり、光源３の出力を５Ｗ（ワット）程度、環境温度を２５℃程度とした場合である。  
また、図８においては、温度分布をモノトーン色の濃淡で表し、温度が高い程濃く、温度が低いほど淡くなるように表示した。
【００５７】
図８（ａ）に示すように、伝熱部３９が設けられていない場合には、本体部２の端部２ａ近傍における温度が高くなる。  
一方、伝熱部３９が設けられている場合には、図８（ｂ）に示すように、本体部２の端部２ａにおける温度を低下させることができる。  
すなわち、伝熱部３９を設けるようにすれば、グローブ５側からも熱を放出することができるので、照明装置１１の放熱性を向上させることができる。そのため、照明装置１１の長寿命化を図ることができる。また、高光束化などのような照明装置１１の基本性能を向上させることが可能となる。
【００５８】
図９は、開口部を有する伝熱部を例示するための模式図である。  
なお、図９（ａ）は開口部を有する伝熱部を例示するための模式部分断面図、図９（ｂ）は開口部を設ける効果を例示するための模式グラフ図である。  
図９（ａ）に示すように、伝熱部４９には高さ寸法Ｈ３の開口部４９ａが設けられている。  
伝熱部４９は、その厚み方向に貫通する開口部４９ａを有している。  
ここで、例えば、図７において例示をした場合のように、光源３が本体部２の端部２ａに設けられている場合には、光源３から照射された光を遮る位置に伝熱部４９が設けられることになる。
【００５９】
この場合、開口部４９ａを設けるようにすれば、光源３から照射された光が遮られることを抑制することができる。  
例えば、図９（ｂ）に示すように、開口部４９ａの高さ寸法Ｈ３を大きくすれば光の取り出し効率を向上させることができる。なお、図９（ｂ）においては開口部４９ａの高さ寸法Ｈ３を変化させる場合を例示したが、開口部４９ａの幅寸法Ｗ４を変化させる場合も同様である。すなわち、開口部４９ａの幅寸法Ｗ４を大きくしても光の取り出し効率を向上させることができる。
【００６０】
しかしながら、余り大きな開口部４９ａを設けるようにすれば、伝熱部４９による伝熱量、ひいては放熱量が少なくなるおそれがある。  
この場合、開口部４９ａの高さ寸法Ｈ３を大きくすれば伝熱部４９による放熱量が少なくなるので限界電力（発光素子３ｂに投入可能な電力）が小さくなる。そして、限界電力が小さくなれば、光源３から照射される光の量が減少することになる。  
そのため、発光素子３ｂの特性と、開口部４９ａを設けることによる光の取り出し効率の向上と、開口部４９ａを設けることによる放熱性の低下と、を考慮して、開口部４９ａの大きさを適宜決定するようにすることができる。
【００６１】
また、図９（ａ）においては、伝熱部４９の本体部２側の端部に開口する開口部４９ａを例示したが、開口部４９ａの形状や設ける位置は適宜変更することができる。  
ただし、光源３により近い位置に開口部４９ａを設けるようにすれば、光の取り出し効率を向上させることができる。そのため、図９（ａ）に例示をしたような伝熱部４９の本体部２側の端部に開口する開口部４９ａとすることが好ましい。
【００６２】
図１０は、他の実施形態に係る開口部を例示するための模式部分断面図である。  
図１０に示すように、伝熱部５９に設けられた開口部５９ａは、伝熱部５９の本体部２側の端部と、グローブ５側の端部とに開口している。伝熱部５９は中央側において基板８と接触して反射部９側に伸び、グローブ５の形状に沿って照明装置の中心軸から外方に伸びている。伝熱部５９は、照明装置の中心軸を含む断面形状が「傘状」となっている。
【００６３】
ここで、光源３から照射される光の一部がグローブ５内を伝播、反射されるようすを図１０の断面に投影して一点鎖線（光Ｌ１、Ｌ２）で示す。  
この場合、伝熱部５９のグローブ５側の端部に開口する開口部５９ａとすれば、図１０に示すように、光源３から照射され、反射部９において反射した光Ｌ１、レンズ４０の端面で反射した光Ｌ２が照明装置の背面側に照射される。そのため、光の取り出し効率を向上させることができるとともに、配光角を拡げることができる。
【００６４】
この伝熱部５９は、図１０に示すように、全体が一枚の板で構成することができる。あるいは、左半分の板状体と右半分の板状体とが一体で形成され、この２つの板状体が、例えば、図１０の点線部分で示す位置で繋がっていてもよい。あるいは、伝熱部５９は、図１０における左半分の板状体と右半分の板状体とが別体で構成され、図１０の点線部分で接続されていてもよい。伝熱部５９には、さらに別体の板状体（図示せず）を付加することもできる。付加する板状体は図１０に示す点線部分で伝熱部５９と熱的に接合され、伝熱部５９の一部を構成するようにすることができる。
【００６５】
また、「傘状」の形態を有する伝熱部５９とすれば、光源３を円環状に配置することができるようになる。また、グローブ５の近傍に光源３を設けることができるようになる。  また、図１０に示すように、円環状のレンズ４０などの光学要素を設けることが容易となる。  
この場合、開口部５９ａが、伝熱部５９のグローブ５側の端部に開口する位置には特に限定はない。  
ただし、図１０に示すように、開口部５９ａが、本体部２により近い位置に開口するようにすれば、光の取り出し効率をより向上させることができるとともに、配光角をより拡げることができる。  
以上に説明したように、開口部は、伝熱部の本体部側の端部、および伝熱部のグローブ５側の端部の少なくともいずれかに開口しているようにすることができる。
【００６６】
また、以上に説明したことは、配光角を拡げる場合についてであるが、照明装置の用途などに応じて配光角を調整する場合にも応用することができる。  
例えば、前述した反射部１９の傾斜面１９ａの傾斜角度、反射部９の外形寸法Ｗ１、反射部９の取り付け位置（高さ寸法Ｈ１）、グローブ５の肉厚Ｔ１、Ｔ２、グローブ５の最外径部の高さ寸法Ｈ２、伝熱部５９の開口部５９ａの開口位置などを適宜設定することで、照明装置の用途などに応じた配光角を得ることもできる。
【００６７】
また、照明装置の用途などに応じて、照明装置の正面側に光が照射されやすくするために、反射部９に透光部６９を設けることもできる。  
図１１は、反射部９に設けられた透光部６９を例示するための模式断面図である。  
透光部６９は、反射部９の厚み方向を貫通する孔に設けられている。  
透光部６９は、透光性を有する材料から形成されている。  
透光部６９は、例えば、グローブ５と同じ材料から形成することができる。
【００６８】
図１１に示すように、光源３から照射され反射部９に入射した光Ｌ３は反射されるが、透光部６９に入射した光Ｌ４は透光部６９を透過して照明装置の正面側に照射される。そのため、照明装置の正面側に光が照射されやすくなる。  
この場合、透光部６９の大きさ、数、配置、形状などには特に限定がなく、照明装置の用途などにより要求される配光特性に応じて適宜設定することができる。
【００６９】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００７０】
１  照明装置、１ａ  中心軸、２  本体部、３  光源、５  グローブ、６  口金部、７  制御部、９  反射部、９ａ  反射層、９ｂ  反射部本体、１１  照明装置、１１ａ  中心軸、１９  反射部、１９ａ  傾斜面、１９ｂ  反射部本体、２９  伝熱部、２９ａ〜２９ｅ  端部、３０  反射層、３９  伝熱部、４９  伝熱部、４９ａ  開口部、５９  伝熱部、５９ａ  開口部
【図１】
2014011088.tif 000003
【図２】
2014011088.tif 000004
【図３】
2014011088.tif 000005
【図４】
2014011088.tif 000006
【図５】
2014011088.tif 000007
【図６】
2014011088.tif 000008
【図７】
2014011088.tif 000009
【図９】
2014011088.tif 000010
【図１０】
2014011088.tif 000011
【図１１】
2014011088.tif 000012
【図８】
2014011088.tif 000013